【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】
記録媒体を適用した情報の記録または再生を実行する情報記録再生装置において、
世代毎に更新され、異なるキーとして設定される世代管理暗号化キーに基づく暗号処理によって前記記録媒体に対する格納情報の暗号処理、または、
世代毎に更新され、異なるキーとして設定される世代管理復号キーに基づく復号処理によって前記記録媒体から読み取られる情報の復号処理を実行する暗号処理手段と、
前記記録媒体を適用した情報記録処理に際して、情報前記情報記録再生装置の記憶手段に格納された装置格納世代管理暗号化キーの世代情報と、前記記録媒体に予め格納された記録媒体世代情報であるプレ世代情報とを比較し、前記プレ世代情報が、前記装置格納世代管理暗号化キーの世代情報よりも新しいものである場合に、警告出力を実行し、
前記記録媒体を適用した情報再生処理に際して、前記情報記録再生装置の記憶手段に格納された装置格納世代管理復号キーの世代情報と、前記記録媒体に情報が記録された際に用いられた世代情報である記録時世代情報との比較において、前記記録時世代情報が前記装置格納世代管理復号キーの世代情報よりも新しいものである場合に警告出力を実行するデータ処理部と、
を有することを特徴とする情報記録再生装置。
【請求項２】
前記装置格納世代管理暗号化キーおよび前記装置格納世代管理復号キーは、複数の情報記録再生装置に共通に格納されたマスターキーであることを特徴とする請求項１に記載の情報記録再生装置。
【請求項３】
前記暗号処理手段は、
前記記録媒体を適用した情報記録処理に際して、前記プレ世代情報が、前記装置格納世代管理暗号化キーの世代情報よりも新しいものである場合に、前記プレ世代情報の示す世代と同世代以降の世代管理暗号化キーに更新処理を実行し、
前記記録媒体を適用した情報再生処理に際して、前記記録時世代情報が、前記装置格納世代管理復号キーの世代情報よりも新しいものである場合に、前記記録時世代情報の示す世代と同世代以降の世代管理復号キーに更新処理を実行する更新手段を含むことを特徴とする請求項１に記載の情報記録再生装置。
【請求項４】
前記暗号処理手段は、
前記記録媒体を適用した情報記録処理に際して、前記装置格納世代管理暗号化キーの世代情報よりも古い世代情報の世代管理暗号化キーを、前記装置格納世代管理暗号化キーに基づいて生成し、
前記記録媒体を適用した情報再生処理に際して、前記装置格納世代管理復号キーの世代情報よりも古い世代情報の世代管理復号キーを、前記装置格納世代管理復号キーに基づいて生成するキー生成手段を有する構成であることを特徴とする請求項１に記載の情報記録再生装置。
【請求項５】
前記暗号処理手段は、
前記記録媒体を適用した情報記録処理に際して、前記プレ世代情報が、前記装置格納世代管理暗号化キーの世代情報よりも新しいものである場合に、前記プレ世代情報の示す世代と同世代以降の世代管理暗号化キーに更新処理を実行し、
前記記録媒体を適用した情報再生処理に際して、前記記録時世代情報が、前記装置格納世代管理復号キーの世代情報よりも新しいものである場合に、前記記録時世代情報の示す世代と同世代以降の世代管理復号キーに更新処理を実行する更新手段を含み、
前記更新手段は、
前記記録媒体を適用した情報記録処理に際して、暗号化処理の施された更新用世代管理暗号化キーについての復号処理を、前記情報記録再生装置に格納されたデバイスキーに基づいて実行し、更新された世代管理暗号化キーを生成し、
前記記録媒体を適用した情報再生処理に際して、暗号化処理の施された更新用世代管理復号キーについての復号処理を、前記情報記録再生装置に格納されたデバイスキーに基づいて実行し、更新された世代管理復号キーを生成する構成を有することを特徴とする請求項１に記載の情報記録再生装置。
【請求項６】
前記暗号処理手段は、
前記記録媒体を適用した情報記録処理に際して、前記暗号化処理の施された更新用世代管理暗号化キーと、復号用のデバイスキー識別子とを対応付けたキーテーブルを取得して、該キーテーブル中のデバイスキー識別子に基づいて識別されるデバイスキーにより、前記暗号化処理の施された更新用世代管理暗号化キーについての復号処理を実行し、
前記記録媒体を適用した情報再生処理に際して、前記暗号化処理の施された更新用世代管理復号キーと、復号用のデバイスキー識別子とを対応付けたキーテーブルを取得して、該キーテーブル中のデバイスキー識別子に基づいて識別されるデバイスキーにより、前記暗号化処理の施された更新用世代管理復号キーについての復号処理を実行する構成であることを特徴とする請求項５に記載の情報記録再生装置。
【請求項７】
前記デバイスキーは、情報記録再生装置をカテゴリ区分し、共通のカテゴリに属する情報記録再生装置に共通のキーとした構成であることを特徴とする請求項５に記載の情報記録再生装置。
【請求項８】
前記デバイスキーは、情報記録再生装置に付与されたシリアルナンバの区分に基づいて共通のキーとした構成であることを特徴とする請求項５に記載の情報記録再生装置。
【請求項９】
前記情報記録再生装置は、
複数の異なる情報記録再生装置をリーフとした階層ツリー構造を構成する各ノードに固有のノードキーと各情報記録再生装置固有のリーフキーとを保有し、
前記世代管理暗号化キーは、前記ノードキーまたはリーフキーの少なくともいずれかを用いて更新可能なキーとして構成され、
前記世代管理復号キーは、前記ノードキーまたはリーフキーの少なくともいずれかを用いて更新可能なキーとして構成されていることを特徴とする請求項１に記載の情報記録再生装置。
【請求項１０】
前記世代管理暗号化キーおよび前記世代管理復号キーは、複数の情報記録再生装置において共通なマスターキーであることを特徴とする請求項９に記載の情報記録再生装置。
【請求項１１】
前記ノードキーは更新可能なキーとして構成され、更新処理に際しては更新ノードキーを下位階層のノードキーまたはリーフキーの少なくともいずれかを含むキーにより暗号化したキー更新ブロック（ＫＲＢ）を更新対象となるリーフの情報記録再生装置に配布する構成であり、
前記情報記録再生装置における前記暗号処理手段は、
前記更新ノードキーで暗号化処理した前記世代管理暗号化キーの更新データ、または前記更新ノードキーで暗号化処理した前記世代管理復号キーの更新データを受領し、
キー更新ブロック（ＫＲＢ）の暗号処理により、前記更新ノードキーを取得するとともに、該取得した更新ノードキーに基づいて前記世代管理暗号化キーの更新データ、または前記世代管理復号キーの更新データを取得する構成を有することを特徴とする請求項９に記載の情報記録再生装置。
【請求項１２】
前記キー更新ブロック（ＫＲＢ）は、記録媒体に格納され、
前記暗号処理手段は、
前記記録媒体から読み出されたキー更新ブロック（ＫＲＢ）についての暗号処理を実行する構成であることを特徴とする請求項９に記載の情報記録再生装置。
【請求項１３】
前記世代管理暗号化キーおよび前記世代管理復号キーは、更新情報としての世代番号が対応付けられた構成であり、
前記暗号処理部は、
前記記録媒体に対する暗号化データ格納時に、使用した前記世代管理暗号化キーの世代番号を記録時世代番号として前記記録媒体に格納し、
前記記録媒体からの暗号化データの復号時に、該暗号化データの暗号処理時に使用した世代管理暗号化キーの世代番号を前記記録媒体から読み取り、該読み取られた世代番号に対応する世代管理復号キーを使用して復号を実行する構成を有することを特徴とする請求項９に記載の情報記録再生装置。
【請求項１４】
前記情報記録再生装置は、さらに、
前記情報記録再生装置の記憶手段に格納された装置格納世代管理暗号化キーの世代情報と、前記記録媒体に予め格納された記録媒体世代情報であるプレ世代情報とを比較し、前記プレ世代情報が、前記装置格納世代管理暗号化キーの世代情報よりも新しいものである場合に、前記プレ世代情報の示す世代または該世代以降の世代管理暗号化キーの取得を実行するキー取得手段を有することを特徴とする請求項１に記載の情報記録再生装置。
【請求項１５】
前記キー取得手段は、
ネットワークを介するデータ受信の実行可能な通信インタフェースを含むことを特徴とする請求項１４に記載の情報記録再生装置。
【請求項１６】
前記キー取得手段は、
電話回線を介するデータ受信の実行可能な通信モデムを含むことを特徴とする請求項１４に記載の情報記録再生装置。
【請求項１７】
前記キー取得手段は、
ＩＣカードを介するデータ受信の実行可能なＩ／Ｃカードインタフェースを含むことを特徴とする請求項１４に記載の情報記録再生装置。
【請求項１８】
前記暗号処理手段は、
前記記録媒体に情報が記録された際に用いられた世代情報である記録時世代情報と、前記記録媒体に予め格納された記録媒体世代情報であるプレ世代情報との比較処理において前記プレ世代情報が前記記録時世代情報よりも新しいものである場合に復号処理を実行しない構成としたことを特徴とする請求項１に記載の情報記録再生装置。
【請求項１９】
記録媒体を適用した情報の記録または再生を実行する情報記録再生方法において、
暗号処理手段が、
前記記録媒体を適用した情報の記録処理に際して、世代毎に更新され、異なるキーとして設定される世代管理暗号化キーに基づく暗号処理によって前記記録媒体に対する格納情報の暗号処理を実行し、前記記録媒体を適用した情報の再生処理に際して、世代毎に更新され、異なるキーとして設定される世代管理復号キーに基づく復号処理によって前記記録媒体から読み取られる情報の復号処理を実行し、
データ処理部が、
前記記録媒体を適用した情報の記録処理に際して、情報記録再生装置の記憶手段に格納された装置格納世代管理暗号化キーの世代情報と、前記記録媒体に予め格納された記録媒体世代情報であるプレ世代情報とを比較し、前記プレ世代情報が、前記装置格納世代管理暗号化キーの世代情報よりも新しいものである場合に警告出力を実行し、
前記データ処理部が、
前記記録媒体を適用した情報再生処理に際して、前記情報記録再生装置の記憶手段に格納された装置格納世代管理復号キーの世代情報と、前記記録媒体に情報が記録された際に用いられた世代情報である記録時世代情報とを比較し、前記記録時世代情報が前記装置格納世代管理復号キーの世代情報よりも新しいものである場合に警告出力を実行することを特徴とする情報記録再生方法。
【請求項２０】
世代毎に更新され、異なるキーとして設定される世代管理キーに基づく処理によって記録媒体に対する格納情報の暗号化処理または記録媒体から読み取られる情報の復号処理を実行する暗号処理手段を有する情報記録または再生装置に対する更新世代管理キーの提供を行なうキー更新端末装置であり、
前記情報記録または再生装置に接続可能なインタフェースと、
外部との通信を実行する通信手段と、
前記インタフェースを介する前記情報記録または再生装置からの装置固有識別子の取得処理、該装置固有識別子の前記通信手段を介する送信処理、前記通信手段を介する更新世代管理キーの受信処理、および前記インタフェースを介する前記情報記録または再生装置に対する更新世代管理キーの転送処理の各制御を実行する制御手段と、
を有することを特徴とするキー更新端末装置。
【請求項２１】
世代毎に更新され、異なるキーとして設定される世代管理キーに基づく処理によって記録媒体に対する格納情報の暗号化処理または記録媒体から読み取られる情報の復号処理を実行する暗号処理手段を有する情報記録または再生装置に対する更新世代管理キーの提供を行なう世代管理キー更新方法であり、
前記情報記録または再生装置に接続可能なインタフェースと、外部との通信を実行する通信手段とを有するキー更新端末装置を前記情報記録または再生装置に接続するステップと、
前記インタフェースを介する前記情報記録または再生装置からの装置固有識別子の取得処理ステップと、
装置固有識別子の前記通信手段を介する送信処理ステップと、
前記通信手段を介する更新世代管理キーの受信処理ステップと、
前記インタフェースを介する前記情報記録または再生装置に対する更新世代管理キーの転送処理ステップと、
を有することを特徴とする世代管理キー更新方法。
【請求項２２】
記録媒体を適用した情報の記録または再生処理をコンピュータ・システム上で実行せしめるコンピュータ・プログラムを提供するプログラム提供媒体であって、前記コンピュータ・プログラムは、
前記記録媒体を適用した情報記録処理に際して、
データ処理部に、情報記録再生装置の記憶手段に格納された装置格納世代管理暗号化キーの世代情報と、前記記録媒体に予め格納された記録媒体世代情報であるプレ世代情報とを比較させるステップと、
暗号処理部に、世代毎に更新され、異なるキーとして設定される世代管理暗号化キーに基づく暗号処理によって前記記録媒体に対する格納情報の暗号処理を実行させる暗号処理ステップと、
前記記録媒体を適用した情報再生処理に際して、
データ処理部に、情報記録再生装置の記憶手段に格納された装置格納世代管理復号キーの世代情報と、前記記録媒体に情報が記録された際に用いられた世代情報である記録時世代情報とを比較させるステップと、
暗号処理部に、世代毎に更新され、異なるキーとして設定される世代管理復号キーに基づく復号処理によって前記記録媒体からの格納情報の復号処理を実行させる復号処理ステップと、
前記データ処理部に、前記プレ世代情報が、前記装置格納世代管理暗号化キーの世代情報よりも新しいものである場合、または前記記録時世代情報が、前記装置格納世代管理復号キーの世代情報よりも新しいものである場合に警告出力、または、前記プレ世代情報の示す世代または該世代以降の世代管理暗号化キーまたは世代管理復号キーの取得を実行させるステップと、
を記録したことを特徴とするプログラム提供媒体。
【請求項２３】
前記コンピュータ・プログラムは、さらに、
前記データ処理部に、複数の異なる情報記録再生装置をリーフとした階層ツリー構造を構成する各ノードに固有のノードキーと各情報記録再生装置固有のリーフキーの少なくともいずれかを用いて記録媒体に対する格納データの暗号化処理を実行する世代管理暗号化キーの更新処理、または記録媒体に格納された暗号データの復号処理を実行する世代管理復号キーの更新処理を実行させる更新ステップを含むことを特徴とする請求項２２に記載のプログラム提供媒体。
【手続補正２】
【補正対象書類名】明細書
【補正対象項目名】００２０
【補正方法】変更
【補正の内容】
【００２０】
本発明の第１の側面は、
記録媒体を適用した情報の記録または再生を実行する情報記録再生装置において、
世代毎に更新され、異なるキーとして設定される世代管理暗号化キーに基づく暗号処理によって前記記録媒体に対する格納情報の暗号処理、または、
世代毎に更新され、異なるキーとして設定される世代管理復号キーに基づく復号処理によって前記記録媒体から読み取られる情報の復号処理を実行する暗号処理手段と、
前記記録媒体を適用した情報記録処理に際して、前記情報記録再生装置の記憶手段に格納された装置格納世代管理暗号化キーの世代情報と、前記記録媒体に予め格納された記録媒体世代情報であるプレ世代情報とを比較し、前記プレ世代情報が、前記装置格納世代管理暗号化キーの世代情報よりも新しいものである場合に、警告出力を実行し、
前記記録媒体を適用した情報再生処理に際して、前記情報記録再生装置の記憶手段に格納された装置格納世代管理復号キーの世代情報と、前記記録媒体に情報が記録された際に用いられた世代情報である記録時世代情報との比較において、前記記録時世代情報が前記装置格納世代管理復号キーの世代情報よりも新しいものである場合に警告出力を実行するデータ処理部と、
を有することを特徴とする情報記録再生装置にある。
【手続補正３】
【補正対象書類名】明細書
【補正対象項目名】００２１
【補正方法】変更
【補正の内容】
【００２１】
さらに、本発明の情報記録再生装置の一実施態様において、前記装置格納世代管理暗号化キーおよび前記装置格納世代管理復号キーは、複数の情報記録再生装置に共通に格納されたマスターキーであることを特徴とする。
【手続補正４】
【補正対象書類名】明細書
【補正対象項目名】００２２
【補正方法】変更
【補正の内容】
【００２２】
さらに、本発明の情報記録再生装置の一実施態様において、前記暗号処理手段は、
前記記録媒体を適用した情報記録処理に際して、前記プレ世代情報が、前記装置格納世代管理暗号化キーの世代情報よりも新しいものである場合に、前記プレ世代情報の示す世代と同世代以降の世代管理暗号化キーに更新処理を実行し、前記記録媒体を適用した情報再生処理に際して、前記記録時世代情報が、前記装置格納世代管理復号キーの世代情報よりも新しいものである場合に、前記記録時世代情報の示す世代と同世代以降の世代管理復号キーに更新処理を実行する更新手段を含むことを特徴とする。
【手続補正５】
【補正対象書類名】明細書
【補正対象項目名】００２３
【補正方法】変更
【補正の内容】
【００２３】
さらに、本発明の情報記録再生装置の一実施態様において、前記暗号処理手段は、前記記録媒体を適用した情報記録処理に際して、前記装置格納世代管理暗号化キーの世代情報よりも古い世代情報の世代管理暗号化キーを、前記装置格納世代管理暗号化キーに基づいて生成し、前記記録媒体を適用した情報再生処理に際して、前記装置格納世代管理復号キーの世代情報よりも古い世代情報の世代管理復号キーを、前記装置格納世代管理復号キーに基づいて生成するキー生成手段を有する構成であることを特徴とする。
【手続補正６】
【補正対象書類名】明細書
【補正対象項目名】００２４
【補正方法】変更
【補正の内容】
【００２４】
さらに、本発明の情報記録再生装置の一実施態様において、前記暗号処理手段は、前記記録媒体を適用した情報記録処理に際して、前記プレ世代情報が、前記装置格納世代管理暗号化キーの世代情報よりも新しいものである場合に、前記プレ世代情報の示す世代と同世代以降の世代管理暗号化キーに更新処理を実行し、前記記録媒体を適用した情報再生処理に際して、前記記録時世代情報が、前記装置格納世代管理復号キーの世代情報よりも新しいものである場合に、前記記録時世代情報の示す世代と同世代以降の世代管理復号キーに更新処理を実行する更新手段を含み、前記更新手段は、前記記録媒体を適用した情報記録処理に際して、暗号化処理の施された更新用世代管理暗号化キーについての復号処理を、前記情報記録再生装置に格納されたデバイスキーに基づいて実行し、更新された世代管理暗号化キーを生成し、前記記録媒体を適用した情報再生処理に際して、暗号化処理の施された更新用世代管理復号キーについての復号処理を、前記情報記録再生装置に格納されたデバイスキーに基づいて実行し、更新された世代管理復号キーを生成する構成を有することを特徴とする。
【手続補正７】
【補正対象書類名】明細書
【補正対象項目名】００２５
【補正方法】変更
【補正の内容】
【００２５】
さらに、本発明の情報記録再生装置の一実施態様において、前記暗号処理手段は、前記記録媒体を適用した情報記録処理に際して、前記暗号化処理の施された更新用世代管理暗号化キーと、復号用のデバイスキー識別子とを対応付けたキーテーブルを取得して、該キーテーブル中のデバイスキー識別子に基づいて識別されるデバイスキーにより、前記暗号化処理の施された更新用世代管理暗号化キーについての復号処理を実行し、前記記録媒体を適用した情報再生処理に際して、前記暗号化処理の施された更新用世代管理復号キーと、復号用のデバイスキー識別子とを対応付けたキーテーブルを取得して、該キーテーブル中のデバイスキー識別子に基づいて識別されるデバイスキーにより、前記暗号化処理の施された更新用世代管理復号キーについての復号処理を実行する構成であることを特徴とする。
【手続補正８】
【補正対象書類名】明細書
【補正対象項目名】００２６
【補正方法】変更
【補正の内容】
【００２６】
さらに、本発明の情報記録再生装置の一実施態様において、前記デバイスキーは、情報記録再生装置をカテゴリ区分し、共通のカテゴリに属する情報記録再生装置に共通のキーとした構成であることを特徴とする。
【手続補正９】
【補正対象書類名】明細書
【補正対象項目名】００２７
【補正方法】変更
【補正の内容】
【００２７】
さらに、本発明の情報記録再生装置の一実施態様において、前記デバイスキーは、情報記録再生装置に付与されたシリアルナンバの区分に基づいて共通のキーとした構成であることを特徴とする。
【手続補正１０】
【補正対象書類名】明細書
【補正対象項目名】００２８
【補正方法】変更
【補正の内容】
【００２８】
さらに、本発明の情報記録再生装置の一実施態様において、前記情報記録再生装置は、複数の異なる情報記録再生装置をリーフとした階層ツリー構造を構成する各ノードに固有のノードキーと各情報記録再生装置固有のリーフキーとを保有し、前記世代管理暗号化キーは、前記ノードキーまたはリーフキーの少なくともいずれかを用いて更新可能なキーとして構成され、前記世代管理復号キーは、前記ノードキーまたはリーフキーの少なくともいずれかを用いて更新可能なキーとして構成されていることを特徴とする。
【手続補正１１】
【補正対象書類名】明細書
【補正対象項目名】００２９
【補正方法】変更
【補正の内容】
【００２９】
さらに、本発明の情報記録再生装置の一実施態様において、前記世代管理暗号化キーおよび前記世代管理復号キーは、複数の情報記録再生装置において共通なマスターキーであることを特徴とする。
【手続補正１２】
【補正対象書類名】明細書
【補正対象項目名】００３０
【補正方法】変更
【補正の内容】
【００３０】
さらに、本発明の情報記録再生装置の一実施態様において、前記ノードキーは更新可能なキーとして構成され、更新処理に際しては更新ノードキーを下位階層のノードキーまたはリーフキーの少なくともいずれかを含むキーにより暗号化したキー更新ブロック（ＫＲＢ）を更新対象となるリーフの情報記録再生装置に配布する構成であり、前記情報記録再生装置における前記暗号処理手段は、前記更新ノードキーで暗号化処理した前記世代管理暗号化キーの更新データ、または前記更新ノードキーで暗号化処理した前記世代管理復号キーの更新データを受領し、キー更新ブロック（ＫＲＢ）の暗号処理により、前記更新ノードキーを取得するとともに、該取得した更新ノードキーに基づいて前記世代管理暗号化キーの更新データ、または前記世代管理復号キーの更新データを取得する構成を有することを特徴とする。
【手続補正１３】
【補正対象書類名】明細書
【補正対象項目名】００３１
【補正方法】変更
【補正の内容】
【００３１】
さらに、本発明の情報記録再生装置の一実施態様において、前記キー更新ブロック（ＫＲＢ）は、記録媒体に格納され、前記暗号処理手段は、前記記録媒体から読み出されたキー更新ブロック（ＫＲＢ）についての暗号処理を実行する構成であることを特徴とする。
【手続補正１４】
【補正対象書類名】明細書
【補正対象項目名】００３２
【補正方法】変更
【補正の内容】
【００３２】
さらに、本発明の情報記録再生装置の一実施態様において、前記世代管理暗号化キーおよび前記世代管理復号キーは、更新情報としての世代番号が対応付けられた構成であり、前記暗号処理部は、前記記録媒体に対する暗号化データ格納時に、使用した前記世代管理暗号化キーの世代番号を記録時世代番号として前記記録媒体に格納し、前記記録媒体からの暗号化データの復号時に、該暗号化データの暗号処理時に使用した世代管理暗号化キーの世代番号を前記記録媒体から読み取り、該読み取られた世代番号に対応する世代管理復号キーを使用して復号を実行する構成を有することを特徴とする。
【手続補正１５】
【補正対象書類名】明細書
【補正対象項目名】００３３
【補正方法】変更
【補正の内容】
【００３３】
さらに、本発明の情報記録再生装置の一実施態様において、前記情報記録再生装置は、さらに、前記情報記録再生装置の記憶手段に格納された装置格納世代管理暗号化キーの世代情報と、前記記録媒体に予め格納された記録媒体世代情報であるプレ世代情報とを比較し、前記プレ世代情報が、前記装置格納世代管理暗号化キーの世代情報よりも新しいものである場合に、前記プレ世代情報の示す世代または該世代以降の世代管理暗号化キーの取得を実行するキー取得手段を有することを特徴とする。
【手続補正１６】
【補正対象書類名】明細書
【補正対象項目名】００３４
【補正方法】変更
【補正の内容】
【００３４】
さらに、本発明の情報記録再生装置の一実施態様において、前記キー取得手段は、ネットワークを介するデータ受信の実行可能な通信インタフェースを含むことを特徴とする。
【手続補正１７】
【補正対象書類名】明細書
【補正対象項目名】００３５
【補正方法】変更
【補正の内容】
【００３５】
さらに、本発明の情報記録再生装置の一実施態様において、前記キー取得手段は、電話回線を介するデータ受信の実行可能な通信モデムを含むことを特徴とする。
【手続補正１８】
【補正対象書類名】明細書
【補正対象項目名】００３６
【補正方法】変更
【補正の内容】
【００３６】
さらに、本発明の情報記録再生装置の一実施態様において、前記キー取得手段は、ＩＣカードを介するデータ受信の実行可能なＩ／Ｃカードインタフェースを含むことを特徴とする。
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５１
【補正方法】削除
【補正の内容】
【手続補正３４】
【補正対象書類名】明細書
【補正対象項目名】００５２
【補正方法】削除
【補正の内容】
【手続補正３５】
【補正対象書類名】明細書
【補正対象項目名】００５３
【補正方法】削除
【補正の内容】
【手続補正３６】
【補正対象書類名】明細書
【補正対象項目名】００５４
【補正方法】削除
【補正の内容】
【手続補正３７】
【補正対象書類名】明細書
【補正対象項目名】００５５
【補正方法】削除
【補正の内容】
【手続補正３８】
【補正対象書類名】明細書
【補正対象項目名】００５６
【補正方法】削除
【補正の内容】
【手続補正３９】
【補正対象書類名】明細書
【補正対象項目名】００５７
【補正方法】削除
【補正の内容】
【手続補正４０】
【補正対象書類名】明細書
【補正対象項目名】００５８
【補正方法】変更
【補正の内容】
【００５８】
さらに、本発明の情報記録再生装置の一実施態様において、前記暗号処理手段は、前記記録媒体に情報が記録された際に用いられた世代情報である記録時世代情報と、前記記録媒体に予め格納された記録媒体世代情報であるプレ世代情報との比較処理において前記プレ世代情報が前記記録時世代情報よりも新しいものである場合に復号処理を実行しない構成としたことを特徴とする。
【手続補正４１】
【補正対象書類名】明細書
【補正対象項目名】００５９
【補正方法】削除
【補正の内容】
【手続補正４２】
【補正対象書類名】明細書
【補正対象項目名】００６０
【補正方法】削除
【補正の内容】
【手続補正４３】
【補正対象書類名】明細書
【補正対象項目名】００６１
【補正方法】削除
【補正の内容】
【手続補正４４】
【補正対象書類名】明細書
【補正対象項目名】００６２
【補正方法】削除
【補正の内容】
【手続補正４５】
【補正対象書類名】明細書
【補正対象項目名】００６３
【補正方法】削除
【補正の内容】
【手続補正４６】
【補正対象書類名】明細書
【補正対象項目名】００６４
【補正方法】削除
【補正の内容】
【手続補正４７】
【補正対象書類名】明細書
【補正対象項目名】００６５
【補正方法】削除
【補正の内容】
【手続補正４８】
【補正対象書類名】明細書
【補正対象項目名】００６６
【補正方法】削除
【補正の内容】
【手続補正４９】
【補正対象書類名】明細書
【補正対象項目名】００６７
【補正方法】削除
【補正の内容】
【手続補正５０】
【補正対象書類名】明細書
【補正対象項目名】００６８
【補正方法】削除
【補正の内容】
【手続補正５１】
【補正対象書類名】明細書
【補正対象項目名】００６９
【補正方法】削除
【補正の内容】
【手続補正５２】
【補正対象書類名】明細書
【補正対象項目名】００７０
【補正方法】削除
【補正の内容】
【手続補正５３】
【補正対象書類名】明細書
【補正対象項目名】００７１
【補正方法】削除
【補正の内容】
【手続補正５４】
【補正対象書類名】明細書
【補正対象項目名】００７２
【補正方法】削除
【補正の内容】
【手続補正５５】
【補正対象書類名】明細書
【補正対象項目名】００７３
【補正方法】削除
【補正の内容】
【手続補正５６】
【補正対象書類名】明細書
【補正対象項目名】００７４
【補正方法】削除
【補正の内容】
【手続補正５７】
【補正対象書類名】明細書
【補正対象項目名】００７５
【補正方法】削除
【補正の内容】
【手続補正５８】
【補正対象書類名】明細書
【補正対象項目名】００７６
【補正方法】削除
【補正の内容】
【手続補正５９】
【補正対象書類名】明細書
【補正対象項目名】００７７
【補正方法】削除
【補正の内容】
【手続補正６０】
【補正対象書類名】明細書
【補正対象項目名】００７８
【補正方法】削除
【補正の内容】
【手続補正６１】
【補正対象書類名】明細書
【補正対象項目名】００７９
【補正方法】削除
【補正の内容】
【手続補正６２】
【補正対象書類名】明細書
【補正対象項目名】００８０
【補正方法】削除
【補正の内容】
【手続補正６３】
【補正対象書類名】明細書
【補正対象項目名】００８１
【補正方法】削除
【補正の内容】
【手続補正６４】
【補正対象書類名】明細書
【補正対象項目名】００８２
【補正方法】削除
【補正の内容】
【手続補正６５】
【補正対象書類名】明細書
【補正対象項目名】００８３
【補正方法】削除
【補正の内容】
【手続補正６６】
【補正対象書類名】明細書
【補正対象項目名】００８４
【補正方法】削除
【補正の内容】
【手続補正６７】
【補正対象書類名】明細書
【補正対象項目名】００８５
【補正方法】削除
【補正の内容】
【手続補正６８】
【補正対象書類名】明細書
【補正対象項目名】００８６
【補正方法】削除
【補正の内容】
【手続補正６９】
【補正対象書類名】明細書
【補正対象項目名】００８７
【補正方法】削除
【補正の内容】
【手続補正７０】
【補正対象書類名】明細書
【補正対象項目名】００８８
【補正方法】削除
【補正の内容】
【手続補正７１】
【補正対象書類名】明細書
【補正対象項目名】００８９
【補正方法】削除
【補正の内容】
【手続補正７２】
【補正対象書類名】明細書
【補正対象項目名】００９０
【補正方法】削除
【補正の内容】
【手続補正７３】
【補正対象書類名】明細書
【補正対象項目名】００９１
【補正方法】削除
【補正の内容】
【手続補正７４】
【補正対象書類名】明細書
【補正対象項目名】００９２
【補正方法】削除
【補正の内容】
【手続補正７５】
【補正対象書類名】明細書
【補正対象項目名】００９３
【補正方法】削除
【補正の内容】
【手続補正７６】
【補正対象書類名】明細書
【補正対象項目名】００９４
【補正方法】削除
【補正の内容】
【手続補正７７】
【補正対象書類名】明細書
【補正対象項目名】００９５
【補正方法】削除
【補正の内容】
【手続補正７８】
【補正対象書類名】明細書
【補正対象項目名】００９６
【補正方法】変更
【補正の内容】
【００９６】
さらに、本発明の第２の側面は、
記録媒体を適用した情報の記録または再生を実行する情報記録再生方法において、
暗号処理手段が、
前記記録媒体を適用した情報の記録処理に際して、世代毎に更新され、異なるキーとして設定される世代管理暗号化キーに基づく暗号処理によって前記記録媒体に対する格納情報の暗号処理を実行し、前記記録媒体を適用した情報の再生処理に際して、世代毎に更新され、異なるキーとして設定される世代管理復号キーに基づく復号処理によって前記記録媒体から読み取られる情報の復号処理を実行し、
データ処理部が、
前記記録媒体を適用した情報の記録処理に際して、情報記録再生装置の記憶手段に格納された装置格納世代管理暗号化キーの世代情報と、前記記録媒体に予め格納された記録媒体世代情報であるプレ世代情報とを比較し、前記プレ世代情報が、前記装置格納世代管理暗号化キーの世代情報よりも新しいものである場合に警告出力を実行し、
前記データ処理部が、
前記記録媒体を適用した情報再生処理に際して、前記情報記録再生装置の記憶手段に格納された装置格納世代管理復号キーの世代情報と、前記記録媒体に情報が記録された際に用いられた世代情報である記録時世代情報とを比較し、前記記録時世代情報が前記装置格納世代管理復号キーの世代情報よりも新しいものである場合に警告出力を実行することを特徴とする情報記録再生方法にある。
【手続補正７９】
【補正対象書類名】明細書
【補正対象項目名】００９７
【補正方法】削除
【補正の内容】
【手続補正８０】
【補正対象書類名】明細書
【補正対象項目名】００９８
【補正方法】削除
【補正の内容】
【手続補正８１】
【補正対象書類名】明細書
【補正対象項目名】００９９
【補正方法】削除
【補正の内容】
【手続補正８２】
【補正対象書類名】明細書
【補正対象項目名】０１００
【補正方法】削除
【補正の内容】
【手続補正８３】
【補正対象書類名】明細書
【補正対象項目名】０１０１
【補正方法】削除
【補正の内容】
【手続補正８４】
【補正対象書類名】明細書
【補正対象項目名】０１０２
【補正方法】削除
【補正の内容】
【手続補正８５】
【補正対象書類名】明細書
【補正対象項目名】０１０３
【補正方法】削除
【補正の内容】
【手続補正８６】
【補正対象書類名】明細書
【補正対象項目名】０１０４
【補正方法】削除
【補正の内容】
【手続補正８７】
【補正対象書類名】明細書
【補正対象項目名】０１０５
【補正方法】削除
【補正の内容】
【手続補正８８】
【補正対象書類名】明細書
【補正対象項目名】０１０６
【補正方法】削除
【補正の内容】
【手続補正８９】
【補正対象書類名】明細書
【補正対象項目名】０１０７
【補正方法】削除
【補正の内容】
【手続補正９０】
【補正対象書類名】明細書
【補正対象項目名】０１０８
【補正方法】削除
【補正の内容】
【手続補正９１】
【補正対象書類名】明細書
【補正対象項目名】０１０９
【補正方法】削除
【補正の内容】
【手続補正９２】
【補正対象書類名】明細書
【補正対象項目名】０１１０
【補正方法】変更
【補正の内容】
【０１１０】
さらに、本発明の第３の側面は、
世代毎に更新され、異なるキーとして設定される世代管理キーに基づく処理によって記録媒体に対する格納情報の暗号化処理または記録媒体から読み取られる情報の復号処理を実行する暗号処理手段を有する情報記録または再生装置に対する更新世代管理キーの提供を行なうキー更新端末装置であり、
前記情報記録または再生装置に接続可能なインタフェースと、
外部との通信を実行する通信手段と、
前記インタフェースを介する前記情報記録または再生装置からの装置固有識別子の取得処理、該装置固有識別子の前記通信手段を介する送信処理、前記通信手段を介する更新世代管理キーの受信処理、および前記インタフェースを介する前記情報記録または再生装置に対する更新世代管理キーの転送処理の各制御を実行する制御手段と、
を有することを特徴とするキー更新端末装置にある。
【手続補正９３】
【補正対象書類名】明細書
【補正対象項目名】０１１１
【補正方法】削除
【補正の内容】
【手続補正９４】
【補正対象書類名】明細書
【補正対象項目名】０１１２
【補正方法】削除
【補正の内容】
【手続補正９５】
【補正対象書類名】明細書
【補正対象項目名】０１１３
【補正方法】変更
【補正の内容】
【０１１３】
さらに、本発明の第４の側面は、
世代毎に更新され、異なるキーとして設定される世代管理キーに基づく処理によって記録媒体に対する格納情報の暗号化処理または記録媒体から読み取られる情報の復号処理を実行する暗号処理手段を有する情報記録または再生装置に対する更新世代管理キーの提供を行なう世代管理キー更新方法であり、
前記情報記録または再生装置に接続可能なインタフェースと、外部との通信を実行する通信手段とを有するキー更新端末装置を前記情報記録または再生装置に接続するステップと、
前記インタフェースを介する前記情報記録または再生装置からの装置固有識別子の取得処理ステップと、
装置固有識別子の前記通信手段を介する送信処理ステップと、
前記通信手段を介する更新世代管理キーの受信処理ステップと、
前記インタフェースを介する前記情報記録または再生装置に対する更新世代管理キーの転送処理ステップと、
を有することを特徴とする世代管理キー更新方法にある。
【手続補正９６】
【補正対象書類名】明細書
【補正対象項目名】０１１４
【補正方法】削除
【補正の内容】
【手続補正９７】
【補正対象書類名】明細書
【補正対象項目名】０１１５
【補正方法】削除
【補正の内容】
【手続補正９８】
【補正対象書類名】明細書
【補正対象項目名】０１１６
【補正方法】変更
【補正の内容】
【０１１６】
さらに、本発明の第５の側面は、
記録媒体を適用した情報の記録または再生処理をコンピュータ・システム上で実行せしめるコンピュータ・プログラムを提供するプログラム提供媒体であって、前記コンピュータ・プログラムは、
前記記録媒体を適用した情報記録処理に際して、
データ処理部に、情報記録再生装置の記憶手段に格納された装置格納世代管理暗号化キーの世代情報と、前記記録媒体に予め格納された記録媒体世代情報であるプレ世代情報とを比較させるステップと、
暗号処理部に、世代毎に更新され、異なるキーとして設定される世代管理暗号化キーに基づく暗号処理によって前記記録媒体に対する格納情報の暗号処理を実行させる暗号処理ステップと、
前記記録媒体を適用した情報再生処理に際して、
データ処理部に、情報記録再生装置の記憶手段に格納された装置格納世代管理復号キーの世代情報と、前記記録媒体に情報が記録された際に用いられた世代情報である記録時世代情報とを比較させるステップと、
暗号処理部に、世代毎に更新され、異なるキーとして設定される世代管理復号キーに基づく復号処理によって前記記録媒体からの格納情報の復号処理を実行させる復号処理ステップと、
前記データ処理部に、前記プレ世代情報が、前記装置格納世代管理暗号化キーの世代情報よりも新しいものである場合、または前記記録時世代情報が、前記装置格納世代管理復号キーの世代情報よりも新しいものである場合に警告出力、または、前記プレ世代情報の示す世代または該世代以降の世代管理暗号化キーまたは世代管理復号キーの取得を実行させるステップと、
を記録したことを特徴とするプログラム提供媒体にある。
【手続補正９９】
【補正対象書類名】明細書
【補正対象項目名】０１１７
【補正方法】変更
【補正の内容】
【０１１７】
さらに、本発明のプログラム提供媒体の一実施態様において、前記コンピュータ・プログラムは、さらに、前記データ処理部に、複数の異なる情報記録再生装置をリーフとした階層ツリー構造を構成する各ノードに固有のノードキーと各情報記録再生装置固有のリーフキーの少なくともいずれかを用いて記録媒体に対する格納データの暗号化処理を実行する世代管理暗号化キーの更新処理、または記録媒体に格納された暗号データの復号処理を実行する世代管理復号キーの更新処理を実行させる更新ステップを含むことを特徴とする。
【手続補正１００】
【補正対象書類名】明細書
【補正対象項目名】０１１８
【補正方法】削除
【補正の内容】
【手続補正１０１】
【補正対象書類名】明細書
【補正対象項目名】０１１９
【補正方法】削除
【補正の内容】